(57)【特許請求の範囲】
【請求項１】
隣合う外壁パネル(10)間に形成された目地(11)に嵌合されることにより前記外壁パネル(10)間のシール性を確保するシール部材(20)と、前記外壁パネル(10)間に架け渡すように配置された状態で前記目地(11)に嵌合された前記シール部材(20,40) の長手方向端部に嵌合されることにより、前記シール部材(20,40) を前記外壁パネル(10)に対して所定の位置に位置決めするクリップ部材(30,50) とを備え、該クリップ部材(30)の形状がＬ字状に形成され、該クリップ部材(30)の垂直面(31)の中央に嵌合用切欠部(32)が下方に開口するように形成され、前記シール部材(20)に嵌合されたことを特徴とするシール構造体。
【請求項２】
隣合う外壁パネル(10)間に形成された目地(11)に嵌合されることにより前記外壁パネル(10)間のシール性を確保するシール部材(20,40) を嵌合させた後、該シール部材(20,40) の長手方向端部に隣合う前記外壁パネル(10)間に架け渡すように配置され、垂直面(31)の中央に嵌合用切欠部(32)が下方に開口するように形成されたＬ字状のクリップ部材(30,50) を嵌合させることを特徴とするシール構造体の施工方法。
【発明の詳細な説明】
【０００１】
【発明の属する技術分野】
本発明は、例えば住宅構造用に組み立てられた外壁パネル間のシール性を確保するためのシール構造体及びその施工方法に関し、詳しくは外壁パネルへの施工を迅速かつ確実に行うためのシール構造体及びその施工方法に関する。
【０００２】
【従来の技術】
従来のシール構造体としては、図７及び図８に示すように隣合う外壁パネル１５間に形成された目地１６に、外壁パネル１５の厚み方向に沿って図８中上方からシール部材６０を嵌合させるものである。シール部材６０は、支柱６１の両側に複数（図７中では左右両側に２個）のシールリップ６２が突設されている。このシールリップ６２は、目地１６に嵌合された際、外壁パネル１５との係合に伴って弾性変形して外壁パネル１５に密着される。また、支柱６１の上端には外観面６５が形成されており、目地１６内に嵌合されることで表側の外壁パネル１５，１５間の目地１６を完全に閉鎖する。また、支柱６１下端の支柱奥６４端部には後述するクリップ部材７０を嵌着するための底部６３が形成されている。
また、シール部材６０とは別体でシール部材６０の底部６３に嵌着されたクリップ部材７０が設けられており、このクリップ部材７０によってシール部材６０は外壁パネル１５に対して所定の位置に位置決めされる。
【０００３】
このようなシール構造体を外壁パネル１５に施工する際には、シール部材６０の底部６３に予めクリップ部材７０を嵌合させた後、シール部材６０及びクリップ部材７０を外壁パネル１５の厚み方向に沿って図８中上方から目地１６に嵌合させるものである。すなわち、シール部材６０をクリップ部材７０によって外壁パネル１５に位置決めすることで、経時変化（劣化）等に起因するシール部材６０の外壁パネル１５との密着性の低下による位置ズレ又は脱落と、それらに伴う外壁パネル１５，１５間のシール性の低下等を防止することができる。
【０００４】
【発明が解決しようとする課題】
しかしながら、上述した従来のシール構造体では、外壁パネル１５に施工する際、シール部材６０の底部６３に予めクリップ部材７０を嵌合させた後、シール部材６０を外壁パネル１５の厚み方向に沿って目地１６に嵌合させるため、施工に際しての作業性が悪く、クリップ部材７０が外壁パネル１５に所要の姿勢で嵌合されたか否かを確認することができないため、施工後の信頼性に欠けるという問題があった。
【０００５】
また、クリップ部材７０が比較的高い剛性を有しているため、クリップ部材７０を所要の姿勢で目地１６に嵌合することができなかった場合には、クリップ部材７０で外壁パネル１５を損傷させてしまうという問題があった。
【０００６】
本発明は、外壁パネル間の高いシール性を確保することができるとともに、外壁パネルへの施工を、外壁パネルの損傷等を招くことなく、良好な作業性を以て迅速かつ確実に行うことができるシール構造体及びその施工方法を提供することを目的としている。
【０００７】
【課題を解決するための手段】
上記課題は、請求項１記載のシール構造体であって、隣合う外壁パネル間に形成された目地に嵌合されることにより前記外壁パネル間のシール性を確保するシール部材と、前記外壁パネル間に架け渡すように配置された状態で前記目地に嵌合された前記シール部材の長手方向端部に嵌合されることにより、前記シール部材を前記外壁パネルに対して所定の位置に位置決めするクリップ部材とを備え、該クリップ部材の形状がＬ字状に形成され、該クリップ部材の垂直面の中央に嵌合用切欠部が下方に開口するように形成され、前記シール部材に嵌合されたことを特徴とするシール構造体により解決することができる。
【０００８】
また、上記課題は、請求項２記載のシール構造体であって、隣合う外壁パネル間に形成された目地に嵌合されることにより前記外壁パネル間のシール性を確保するシール部材を嵌合させた後、該シール部材の長手方向端部に隣合う前記外壁パネル間に架け渡すように配置され、垂直面の中央に嵌合用切欠部が下方に開口するように形成されたＬ字状のクリップ部材を嵌合させることを特徴とするシール構造体の施工方法により解決することができる。
【０００９】
本発明に係る請求項１記載のシール構造体においては、シール部材は隣合う外壁パネル間に形成された目地に嵌合されることにより、外壁パネル間のシール性を確保する。そして、隣合う外壁パネル間に架け渡すように配置されたクリップ部材がシール部材の長手方向端部に嵌合される。
したがって、シール部材は外壁パネルの損傷等を招くことなく、外壁パネルに対して所定の位置に迅速かつ確実に位置決めされるので、シール部材の位置ズレ又は脱落等によるシール性の低下を確実に防止することができる。
【００１０】
また、本発明に係る請求項２記載のシール構造体の施工方法においては、隣合う外壁パネル間に形成された目地にシール部材を嵌合させた後、隣合う外壁パネル間に架け渡すように配置したクリップ部材をシール部材の長手方向端部に嵌合させる。
したがって、シール部材は外壁パネルの損傷等を招くことなく、外壁パネルに対して所定の位置に良好な作業性を以て迅速かつ確実に位置決めされるとともに、シール部材の位置ズレ又は脱落等によるシール性の低下を確実に防止することができる。
【００１１】
【発明の実施の形態】
以下、本発明のシール構造体及びその施工方法の第１実施の形態例を図１乃至図６に基づいて詳細に説明する。図１は本発明のシール構造体及びその施工方法の第１実施の形態であるシール部材を嵌合させた状態を示す斜視図、図２は図１におけるシール部材の側面図、図３は図１におけるクリップ部材を示す斜視図である。
【００１２】
図１に示すように、住宅構造用に組み立てられる隣接した外壁パネル１０，１０間には、垂直及び水平方向に沿って目地１１が形成されている。外壁パネル１０の背面１２側には、万一の浸水時に機能する導水用空間１３が、目地１１に連通して囲い部材１４によって形成されている。そして、シール部材２０が、外壁パネル１０の厚み方向に沿って図中手前側から目地１１内に嵌合され、クリップ部材３０によって外壁パネル１０に対する所定位置に位置決めされる。
【００１３】
図１及び図２に示すように、シール部材２０は、隣合う外壁パネル１０間に形成された目地１１に外壁パネル１０の厚み方向に沿って図１中手前の表側から奥側に向けて嵌合されることにより、隣接した外壁パネル１０，１０間のシール性を確保する。
すなわち、シール部材２０は、支柱２１の両側に複数（図２中では左右両側に２個）のシールリップ２２が突設されている。このシールリップ２２は、シール部材２０が目地１１に嵌合された際、外壁パネル１０との係合に伴って弾性変形し、嵌合方向と逆方向（図２中では上方）に撓みつつ、外壁パネル１０に密着される。また、支柱２１の上端には平板状の外観面２５が形成されており、目地１１内に嵌合されることで表側の外壁パネル１０，１０間の目地１１を完全に閉鎖する。また、支柱２１下端の支柱奥２４には嵌合時に目地１１内を挿通して外壁パネル１０の背面１２側に配置される底部２３が形成されている。
【００１４】
シール部材２０の深さ寸法Ａは、外壁パネル１０の厚み方向の外壁パネル深さＢよりも若干大きく設定されており、目地１１に嵌合されたシール部材２０の底部２３は、導水用空間１３内に所定量突出する。また、シール部材２０の底部２３の幅寸法Ｃは、支柱２１の幅寸法Ｄよりも大きく形成されている。
【００１５】
図１及び図３に示すように、クリップ部材３０は、所要の剛性を有するステンレス鋼板材あるいは亜鉛メッキ鋼板材等の錆にくい金属、又は硬質樹脂等から形成され、クリップ部材３０の形状は、略９０°に屈曲した略Ｌ字状に形成されている。
また、クリップ部材３０の垂直面３１の中央には、嵌合用切欠部３２が、下方に開口するように形成されており、シール部材２０の長手方向端部（図１中上端部）の底部２３近傍の支柱奥２４に嵌合される。
【００１６】
また、クリップ部材３０の水平面３３の中央には、導水用切欠部３４が、図中手前側に開口するように形成されており、外壁パネル１０の内部に万一浸水した場合に導水用空間１３と共に導水路となって導水の阻害を防止するものである。
【００１７】
クリップ部材３０は、水平面３３を隣合う外壁パネル１０，１０間に架け渡すように配置された状態で、目地１１に嵌合されたシール部材２０の支柱奥２４に嵌合用切欠部３２を嵌合させる。これにより、クリップ部材３０は、シール部材２０を外壁パネル１０に対して所定の位置に位置決めする。
ここで、嵌合用切欠部３２の横幅寸法は、シール部材２０の支柱２１を確実に挟み込むように、支柱２１の幅寸法Ｄと同じか、もしくは少し小さ目に設定するのが好ましい。
【００１８】
次に、本実施の形態のシール構造体の作用を説明する。
シール部材２０は、隣合う外壁パネル１０，１０間に形成された目地１１の表側から外壁パネル１０の厚み方向に沿って底部２３から嵌合されることで、外壁パネル１０，１０間のシール性が確保される。このとき、目地１１に嵌合されたシール部材２０の支柱奥２４には、クリップ部材３０の嵌合用切欠部３２が嵌合される。すなわち、クリップ部材３０は、水平面３３を隣合う外壁パネル１０，１０間に架け渡すように配置された状態で、嵌合用切欠部３２をシール部材２０の支柱奥２４に嵌合させる。これにより、シール部材２０は、外壁パネル１０に対する所定位置に確実に位置決めされる。
【００１９】
次に、本実施の形態のシール構造体の施工方法について説明する。
先ず、シール部材２０が隣合う外壁パネル１０，１０間に形成された目地１１に、外壁パネル１０の厚み方向に沿って表側から嵌合される。そして、次にクリップ部材３０が、水平面３３を隣合う外壁パネル１０，１０間に架け渡すようにして配置され、クリップ部材３０の嵌合用切欠部３２が、シール部材２０の支柱奥２４に嵌合される。
【００２０】
次に、本発明のシール構造体及びその施工方法の第２実施の形態例を図４乃至図６に基づいて詳細に説明する。図４は本発明のシール構造体及びその施工方法の第２実施の形態例であるシール部材を目地に嵌合させた状態を示す斜視図、図５は図４におけるシール部材を示す側面図、図６は図４におけるクリップ部材を示す斜視図である。
【００２１】
図４に示すように、本実施の形態においては、囲い部材１４（図１参照）が設けられておらず、導水用空間１８は、外壁パネル１０の背面１２全体に渡って形成されている。したがって、図６に示すようにクリップ部材５０は、垂直面５１に嵌合用切欠部５２が形成されているものの、水平面５３によって導水が阻害される心配がないことから、水平面５３に導水用切欠部３４（図１参照）が設けられていない。
また、図５に示すようにシール部材４０の外観面４５が斜め上方にわずかに反り返るように形成されており、底部４３の幅寸法Ｅが、図２に示したシール部材２０の底部２３の幅寸法Ｃよりも小さく形成されている。なお、その他の構成及び作用、例えば支柱４１やシールリップ４２等については、上記第１実施の形態例と同じであるので詳細な説明は省略する。
【００２２】
上述したように第１及び第２の実施の形態例によれば、クリップ部材３０，５０は、水平面３３，５３を隣合う外壁パネル１０，１０間に架け渡すように配置された状態で、目地１１に嵌合されたシール部材２０，４０の支柱奥２４，４４に嵌合用切欠部３２，５２が嵌合される。これにより、シール部材２０，４０が外壁パネル１０に対する所定位置に確実に位置決めされる。
【００２３】
したがって、経時変化（劣化）等に起因するシール部材２０，４０の外壁パネル１０との密着性の低下によるシール部材２０，４０の位置ズレ又は脱落と、それらに伴う外壁パネル１０，１０間のシール性の低下等を確実に防止することができ、外壁パネル１０，１０間の高いシール性を長期間に渡って安定的に確保することができる。
【００２４】
しかも、目地１１にシール部材２０，４０を嵌合させた後、クリップ部材３０，５０をシール部材２０，４０に嵌合させるので、外壁パネル１０への施工を、外壁パネル１０の損傷等を招くことなく、良好な作業性を以て迅速かつ確実に行うことができる。
また、クリップ部材３０，５０がシール部材２０，４０及び外壁パネル１０に所要の姿勢で嵌合されたか否かを容易に確認することができ、施工後の信頼性を確保することができる。
【００２５】
【発明の効果】
以上説明したように本発明の請求項１記載のシール構造体によれば、外壁パネル間に架け渡すように配置された状態で、目地に嵌合されたシール部材の長手方向端部に嵌合され、シール部材を外壁パネルに対する所定位置に位置決めするクリップ部材が設けられている。
したがって、シール部材は外壁パネルの損傷等を招くことなく、外壁パネルに対して所定の位置に迅速かつ確実に位置決めされるので、シール部材の位置ズレ又は脱落等を確実に防止して外壁パネル間の高いシール性を確保することができる。
【００２６】
また、本発明の請求項２記載のシール構造体の施工方法によれば、隣合う外壁パネル間に形成された目地に嵌合されることにより外壁パネル間のシール性を確保するシール部材を嵌合させた後、該シール部材の長手方向端部に隣合う外壁パネル間に架け渡すように配置されたクリップ部材が嵌合させられる。
したがって、シール部材は外壁パネルの損傷等を招くことなく、外壁パネルに対して所定位置に良好な作業性を以て迅速かつ確実に位置決めされるとともに、シール部材の位置ズレ又は脱落等を確実に防止して外壁パネル間の高いシール性を確保することができる。
【図面の簡単な説明】
【図１】本発明のシール構造体及びその施工方法の第１実施の形態であるシール部材を目地に嵌合させた状態を示す斜視図である。
【図２】図１におけるシール部材を示した側面図である。
【図３】図１におけるクリップ部材を示した斜視図である。
【図４】本発明のシール構造体及びその施工方法の第２実施の形態であるシール部材を目地に嵌合させた状態を示す斜視図である。
【図５】図４におけるシール部材を示した側面図である。
【図６】図４におけるクリップ部材を示した斜視図である。
【図７】従来のシール構造体を示す分解斜視図である。
【図８】図７におけるシール構造体を目地に嵌合させた状態を示す断面図である。
【符号の説明】
１０  外壁パネル
１１  目地
１２  背面
１３  導水用空間
１４  囲い部材
１５  外壁パネル
２０  シール部材（第１実施の形態）
２１  支柱
２２  シールリップ
２３  底部
２４  支柱奥
２５  外観面
３０  クリップ部材（第１実施の形態）
３１  垂直面
３２  嵌合用切欠部
３３  水平面
３４  導水用切欠部
４０  シール部材（第２実施の形態）
４１  支柱
４２  シールリップ
４３  底部
４４  支柱奥
４５  外観面
５０  クリップ部材（第２実施の形態）
５１  垂直面
５２  嵌合用切欠部
５３  水平面
Ａ    シール部材の深さ寸法（第１実施の形態）
Ｂ    外壁パネル深さ
Ｃ    シール部材の底部の幅寸法（第１実施の形態）
Ｄ    シール部材の支柱の幅寸法（第１実施の形態）
Ｅ    シール部材の底部の幅寸法（第２実施の形態）
【図１】
0003587328.tif 000002
【図２】
0003587328.tif 000003
【図３】
0003587328.tif 000004
【図４】
0003587328.tif 000005
【図５】
0003587328.tif 000006
【図６】
0003587328.tif 000007
【図７】
0003587328.tif 000008
【図８】
0003587328.tif 000009